(57)【特許請求の範囲】
【請求項１】
第１の開閉枠体部と、
該第１の開閉枠体部と所定間隔を設けて配置されると共に、その一端側が前記第１の開閉枠体部の一端側と連結枢支され、その他端側が前記第１の開閉枠体部の他端側と離着可能に構成された第２の開閉枠体部と、
前記第１の開閉枠体部と前記第２の開閉枠体部のそれぞれの他端が近接する方向に付勢力を付与するバネ部材と、
前記第１の開閉枠体部と前記第２の開閉枠体部との間に配置されると共に、複数の袋が接続されたロール状の糞回収袋を支持可能に構成されたロール支持部と、
前記第１の開閉枠体部と前記第２の開閉枠体部の他端に突設されると共に、前記ロール支持部に支持された糞回収袋を挟持可能に構成された袋把持板部と、
前記第１の開閉枠体部と前記第２の開閉枠体部の袋把持板部が露出、かつ開閉可能となるように覆着されたカバー部とを備える
糞取り器。
【請求項２】
前記袋把持板部が、互いに重なり合うような構成とされた
請求項１に記載の糞取り器。
【請求項３】
前記カバー部に、伸縮性手段を備える
請求項１または請求項２に記載の糞取り器。
【請求項４】
前記カバー部に、ショルダー用、あるいは手提げ用のバンド部を備える
請求項１、請求項２または請求項３に記載の糞取り器。
【請求項５】
前記カバー部が、着脱自在な構成とされた
請求項１、請求項２、請求項３または請求項４に記載の糞取り器。
【請求項６】
前記ロール支持部に、ビニールより形成される糞回収袋が連続して接続されると共に、その接続が破断可能とされたロール状の糞回収袋を備える
請求項１、請求項２、請求項３、請求項４または請求項５に記載の糞取り器。
【発明の詳細な説明】
【技術分野】
【０００１】
本発明は、糞取り器に関する。詳しくは、犬等のペットが路上、あるいは公園等の散歩の際に排便した糞を回収する糞取り器に係るものである。
【背景技術】
【０００２】
従来、路上や公園等での犬の散歩では、犬が排泄した糞は飼い主が持ち帰ることがマナーとされている。
そのため、例えば、飼い主はスーパー等のビニール袋等を携帯し、路上等に排泄された糞を、ビニール袋を裏返しにして手を覆い、ビニール袋の底面で糞を掴み取った後にビニール袋を元に戻して糞を回収している。
【０００３】
しかし、特に女性の場合では、糞をビニール袋で掴むことは気持ち悪い、あるいは見た目に悪いことから、糞を間接的に掴み取る糞取り器が種々開発されている。
【０００４】
この種の糞取り器として、例えば特許文献１に記載されたものが知られている。
具体的には、図８に示すように、上部が開放されたグラブバケット１０１の上部に、昇降案内溝（図示せず。）を両側に持つ門型の支持把手１０３が、グラブバケット１０１の両側面で回転自在に枢着されている。
【０００５】
また、両昇降案内溝の内側にグラブバケット１０１を開閉する門型の開閉把手１０４と、支持把手１０３とが同時に把握可能に設けられ、更に、リング状の閉鎖付勢バネ１０５がグラブバケット１０１の両側内面に取付けられている。
【０００６】
このような構成の糞取り器では、ビニール袋等をグラブバケット１０１内の開口より挿入し、ビニール袋の下縁をグラブバケット１０１の外側に折返してグラブバケット１０１の挟み爪１０６に掛止する。そして、路上等に排泄された糞をグラブバケット１０１の開閉でビニール袋内に回収する。
【先行技術文献】
【特許文献】
【０００７】
【特許文献１】特開２００１−１０３８５９号公報
【発明の概要】
【発明が解決しようとする課題】
【０００８】
ところで、特許文献１に記載された発明では、糞取り器の構造そのものが露出した状態となり、外見上見た目が悪く、特に女性の場合では、身なりとのバランスが取れない。
【０００９】
また、グラブバケットにビニール袋を取付けた状態で持ち歩くために、他人の視線が気になることが多い。
【００１０】
本発明は、以上の点に鑑みて創案されたものであって、他人の視線を気にせずに携行することを実現可能とした糞取り器を提供することを目的とするものである。
【課題を解決するための手段】
【００１１】
上記の目的を達成するために、本発明に係る糞取り器は、第１の開閉枠体部と、該第１の開閉枠体部と所定間隔を設けて配置されると共に、その一端側が前記第１の開閉枠体部の一端側と連結枢支され、その他端側が前記第１の開閉枠体部の他端側と離着可能に構成された第２の開閉枠体部と、前記第１の開閉枠体部と前記第２の開閉枠体部のそれぞれの他端が近接する方向に付勢力を付与するバネ部材と、前記第１の開閉枠体部と前記第２の開閉枠体部との間に配置されると共に、複数の袋が接続されたロール状の糞回収袋を支持可能に構成されたロール支持部と、前記第１の開閉枠体部と前記第２の開閉枠体部の他端に突設されると共に、前記ロール支持部に支持された糞回収袋を挟持可能に構成された袋把持板部と、前記第１の開閉枠体部と前記第２の開閉枠体部の袋把持板部が露出、かつ開閉可能となるように覆着されたカバー部とを備える。
【００１２】
ここで、第１の開閉枠体部と第２の開閉枠体部が所定間隔を設けて配置されると共に、第１の開閉枠体部と第２の開閉枠体部のそれぞれの他端が近接する方向に付勢力を付与するバネ部材によって、第１の開閉枠体部と第２の開閉枠体部の他端は常時が閉の状態とされることとなり、第１の開閉枠体部と第２の開閉枠体部との間に糞回収袋で回収された糞を収納するための空間が形成できる。
【００１３】
また、第１の開閉枠体部と第２の開閉枠体部との間に配置されると共に、複数の袋が接続されたロール状の糞回収袋を支持可能に構成されたロール支持部によって、第１の開閉枠体部と第２の開閉枠体部との間に糞回収袋が収納可能となる。
【００１４】
また、第１の開閉枠体部と第２の開閉枠体部の他端に突設されると共に、ロール支持部に支持された糞回収袋を挟持可能に構成された袋把持板部によって、糞回収袋の開口端を第１の開閉枠体部と第２の開閉枠体部の袋把持板部を覆うようにして取付け、バネ部材の付勢力に抗しながら第１の開閉枠体部と第２の開閉枠体部の他端を開くことで犬等の糞を糞回収袋内へ回収することが可能となる。
【００１５】
また、第１の開閉枠体部と第２の開閉枠体部の袋把持板部が露出、かつ開閉可能となるように覆着されたカバー部によって、第１の開閉枠体部と第２の開閉枠体部との間に収納された糞回収袋がカバー部で覆われることとなり、衛生的であると共に、外観の見た目が良くなる。
【００１６】
また、袋把持板部が、互いに重なり合うような構成とされた場合には、第１の開閉枠体部と第２の開閉枠体部との間に収納された犬等の糞を収納した袋を確実に確保することができる。更に、糞が回収された糞回収袋の廃棄処理に際して、第１の開閉枠体部と第２の開閉枠体部内より、その糞回収袋を引き出して切断する時に、確実に連続する糞回収袋同士の間を掴持することができる。
【００１７】
また、カバー部の第１の開閉枠体部と第２の開閉枠体部面に伸縮性手段を備える場合には、第１の開閉枠体部と第２の開閉枠体部間幅よりも大きい犬等の糞を収納した糞回収袋を収納することができる。
【００１８】
また、カバー部に、ショルダー用、あるいは手提げ用のバンド部を備える場合には、犬の散歩時に肩にかける、あるいは手で持てるようにすることで携行が楽になり、かつ見た目がポシェットのようになりファション性に優れた糞取り器となる。
【００１９】
また、カバー部が、着脱自在な構成とされた場合には、カバー部が汚れたときには取り外して洗浄する、あるいは予備のカバー部と取り替えることができる。
【００２０】
また、ロール支持部に、ビニールより形成される糞回収袋が連続して接続されると共に、その接続が破断可能とされたロール状の糞回収袋を備える場合には、糞の回収ごとにロール状とした糞回収袋を、その都度引き出して使用することができる。
【発明の効果】
【００２１】
本発明の糞取り器によれば、第１の開閉枠体部と第２の開閉枠体部を露出することなくカバーで覆うことで、他人の視線を気にすることなく携行することが可能となる。
【図面の簡単な説明】
【００２２】
【図１】本発明を適用した糞取り器の一例を説明するための立体模式図である。
【図２】本発明を適用した糞取り器の枠組本体の一例を説明するための立体模式図である。
【図３】本発明を適用した糞取り器の枠組本体の正面及び側面を説明するための模式図である。
【図４】本発明を適用した糞取り器のカバー部の一例を説明するための展開模式図である。
【図５】本発明を適用した糞取り器にロール状の糞回収袋を取付けた状態を説明するための断面模式図である。
【図６】本発明を適用した糞取り器による使用状態を説明するための模式図である。
【図７】本発明を適用した糞取り器の袋挟持板部の作用状態を説明するための要部拡大模式図である。
【図８】従来の糞取り器の一例を説明するための模式図である。
【発明を実施するための形態】
【００２３】
以下、本発明の実施の形態を図面を参酌しながら説明し、本発明の理解に供する。
【００２４】
図１は本発明を適用した糞取り器の一例を説明するための立体模式図、図２は本発明を適用した糞取り器の骨組みの一例を説明するための立体模式図である。また、図３（図３（Ａ）は本発明を適用した糞取り器の枠組本体の正面図を示し、図３（Ｂ）は糞取り器の枠組本体の正面図を示の側面図を示す。）は糞取り器の枠組本体を説明するための模式図、図４は本発明を適用した糞取り器のカバー部の一例を説明するための展開模式図である。
【００２５】
ここで示す糞取り器１は、その寸法が縦長さ約２０ｃｍ、横長さ約１８ｃｍ、厚さ約３ｃｍに構成されている。
【００２６】
また、糞取り器１は、枠組本体２と、この枠組本体２を覆うようにして取り付けられたカバー部３とから構成されている。
【００２７】
ここで、図２及び図３に示すように、枠組本体２は相対するように面状に配置された第１の開閉枠体部４と第２の開閉枠体部４Ａと、この第１の開閉枠体部４と第２の開閉枠体部４Ａを開閉自在に連結した連結部５とから構成されている。また、第１の開閉枠体部４と第２の開閉枠体部４Ａとの間にビニール製のロール状の糞回収袋を支持するロール支持部６が配置されている。
【００２８】
この第１の開閉枠体部４と第２の開閉枠体部４Ａは、例えば鋼材等の金属製の線材を方形状に折り曲げることで形成されている。なお、第１の開閉枠体部４と第２の開閉枠体部４Ａの一端側枠部２０の手前側に、第１の開閉枠体部４から略直角に連結部支持板２６が突設され、第２の開閉枠体部４Ａから略直角に連結部支持板２６Ａが突設されている。
【００２９】
また、連結部５は、相対する２枚の把持板７、７との間に連結片８、８が突設され、この連結片８、８の一部を重ねた状態で連結ピン９が挿通されている。更に、この連結ピン９に、把持板７、７の下端を互いに圧接し合う方向への付勢力を有するバネ部材１０が取付けられている。
【００３０】
なお、第１の開閉枠体部４と第２の開閉枠体部４Ａの一端に、連結部５の把持板７、７の上端が固着され、連結部支持板２６、２６Ａに連結部５の把持板７、７の下端が固着されている。
【００３１】
また、第１の開閉枠体部４と第２の開閉枠体部４Ａの他端側枠部２１には、糞回収袋が挟持される袋挟持板部１１、１１Ａが略直角状に突設されている。この袋挟持板部１１の先端は、三角波形状の袋係止部１２が形成されると共に、袋係止部１２と袋挟持板部１１Ａが互いに重なり合うような構成とされている。
【００３２】
更に、第１の開閉枠体部４と第２の開閉枠体部４Ａの両側端枠部２２には、カバー部取付け棒１３が両側端枠部２２に沿って取付けられている。
【００３３】
このような構成とされることで、第１の開閉枠体部４と第２の開閉枠体部４Ａは連結部５のバネ部材１０の付勢力で互いに閉の方向へ回動する状態で連結されることとなる。
【００３４】
また、連結部５の把持板７、７の上端を掴んで互いに近づけるように回動させることで、第１の開閉枠体部４と第２の開閉枠体部４Ａの袋挟持板部１１、１１Ａを付勢力に抗しながら開くことができる。
【００３５】
更に、ロール支持部６は、第１の開閉枠体部４の連結部支持板２６の下部に配置され、そのロール支持部６、６との間にロール状に巻回された糞回収袋を回転可能に支持するためのロール軸部２３が形成されている。
【００３６】
また、図４に示すように、カバー部３は、主カバー２５と２つの副カバー２５Ａとから構成されている。
【００３７】
この主カバー２５は、布製などの可撓性素材で形成され、第１の開閉枠体部４と第２の開閉枠体部４Ａを覆うべく、その全長が約４１ｃｍ、その幅長さが１８ｃｍとされている。また、その中央に手提げ、あるいは、ショルダー用としてのベルト部１５が取付けられている。
【００３８】
更に、第１の開閉枠体部４と第２の開閉枠体部４Ａを覆う面には、主カバー２５の面が膨らむように伸縮するギャザー部１４、１４Ａが設けられている。更に、第２の開閉枠体部４Ａを覆う面には、ギャザー部１４Ａと重なるようにポケット部２４の一端がギャザー部１４Ａの一端に縫製等により取付けられている。
【００３９】
また、カバー部３の各辺には取付用紐１６及び取付用バンド部１７が設けられている。この取付用バンド部１７は、その先端に面状テープ１８が取付けられると共に、カバー部３の裏面には、取付用バンド部１７の面状テープ１８に対応する位置に面状テープ１８Ａが取付けられている。
【００４０】
また、副カバー２５Ａは、第１の開閉枠体部４と第２の開閉枠体部４Ａの両側端枠部２２間を覆うべく構成されている。この副カバー２５Ａは、略台形形状とされると共に、その両側端にカバー部取付け棒１３が挿入可能なように折り返して縫製されることで挿入筒部１９が形成されている。
【００４１】
ここで、本発明を適用した糞取り器では、図５に示すように、ロール支持部６のロール軸部２３に、複数の糞回収袋が連続して接続されたロール状の糞回収袋Ａが取付けられている。
【００４２】
そして、第１の開閉枠体部４と第２の開閉枠体部４Ａを覆うようにして主カバー２５及び副カバー２５Ａが覆着されている。ここで、ロール状の糞回収袋Ａから一つの糞回収袋Ｂが、第１の開閉枠体部４と第２の開閉枠体部４Ａの袋挟持板部１１、１１Ａを開いた状態で引き出される。更に、ビニール袋Ｂの開口端が外側に折り曲げるようにして袋挟持板部１１、１１Ａを覆うように取付けられている。
【００４３】
従って、第１の開閉枠体部４と第２の開閉枠体部４Ａとの間に糞回収袋Ｂが配置され、この糞回収袋Ｂの開口端は連結部５に取付けられたバネ部材（図示せず。）の付勢力で袋挟持板部１１、１１Ａが互いに重なり合うようにして閉じられている。
【００４４】
次に、図６（図６（Ａ）は本発明を適用した糞取り器による糞取りの状態を説明するための模式図を示し、図６（Ｂ）は本発明を適用した糞取り器による糞の回収状態を説明するための模式図を示す。）は本発明を適用した糞取り器による使用状態を説明するための模式図である。
【００４５】
図６（Ａ）に示すように、犬が路上で糞Ｃをした場合には、カバー部３上から第１の開閉枠体部４と第２の開閉枠体部４Ａの連結部５の把持板７、７の上端を掴んで互いに近づけるように回動させる。これにより、第１の開閉枠体部４と第２の開閉枠体部４Ａの他端が付勢力に抗しながら開くこととなる。
【００４６】
更に、路上Ｄの糞Ｃを第１の開閉枠体部４と第２の開閉枠体部４Ａの袋挟持板部１１、１１Ａとの間に位置するようにして、路上Ｄに袋挟持板部１１、１１Ａを押し付ける。
【００４７】
このようにして、連結部５の把持板７、７の把持を緩めることでバネ部材（図示せず。）の付勢力で糞Ｃが糞回収袋Ｂ内に取り込まれた状態で袋挟持板部１１、１１Ａが閉じられる。
【００４８】
なお、例えば大きい糞Ｃが糞回収袋Ｂ内に取り込まれるときは、主カバー２５のギャザー部１４、１４Ａが伸びてカバー部３全体が膨らんだ状態となるために、糞の大小にかかわらず支障なく回収することができる。
【００４９】
従って、糞を収納した糞回収袋Ｂを糞取り器１内に入れた状態でショルダーポーチのようにして家まで持ち帰ることができる。
【００５０】
そして、図６（Ｂ）に示すように、第１の開閉枠体部４と第２の開閉枠体部４Ａの袋挟持板部１１、１１Ａを上方に向けるようにして逆向きにし、袋挟持板部１１、１１Ａに係留されるビニール袋Ｂの開口端を袋挟持板部１１、１１Ａから取り外す。
【００５１】
更に、連結部５の把持板７、７の上端を掴んで袋挟持板部１１、１１Ａを開きながら第１の開閉枠体部４と第２の開閉枠体部４Ａ内より糞回収袋Ｂを、次の糞回収袋Ｂ１の開口端を引き出した状態で、袋挟持板部１１、１１Ａを閉じる。
【００５２】
ここで、図７に示すように、糞回収袋Ｂ１の開口端は、袋挟持板部１１の先端の三角波形状の袋係止部１２と、袋挟持板部１１Ａとが重なった状態で挟持されていることで接触面積が大きくなり、その結果摩擦係数が大きくなる。
【００５３】
従って、糞Ｃが収納された糞回収袋Ｂの開口端を塞いで結び、糞回収袋Ｂを引っ張ることで、糞回収袋Ｂ１が滑ることなく、糞回収袋Ｂ１とのミシン目接続部Ｅから糞回収袋Ｂを容易に切断することができる。
【００５４】
このようにして、糞回収袋Ｂ内に回収された糞は、糞回収袋Ｂごと廃棄することができる。
【００５５】
なお、本実施例では第１及び第２の開閉枠体部を鋼材等の金属製の線材で構成することについて詳述するものであるが、必ずしも金属製の線材で構成する必要性はない。
【００５６】
例えば、大量に生産をする場合には、第１及び第２の開閉枠体部をプラスチック等の合成樹脂材による射出成型等で形成することが望ましい。
【００５７】
また、本実施例では、カバー部の伸縮性手段としてギャザー部を設ける場合について詳述するものであるが、必ずしもギャザー部を設ける必要性はない。
【００５８】
例えば、網目状、ゴム等の弾性素材、あるいはニット素材のように伸縮性を有する素材であればいかなる伸縮性手段であっても構わない。
【００５９】
また、本実施例では、カバー部を主カバーと副カバーとから構成したものについて詳述するものであるが、必ずしも主カバーと副カバーとから構成する必要性はなく、第１及び第２の開閉枠体部を一体的に覆着する構成であっても構わない。
【００６０】
また、本実施例では糞回収袋がビニールより形成されたことについて詳述するものであるが、必ずしもビニールより形成される必要性はない。
【００６１】
例えば紙類、布製など糞を回収できるものであればいかなる素材の袋であっても構わないが、回収の際に破れ難く、かつ臭いが漏れ出ないものが望ましい。
【００６２】
以上の構成よりなる本発明の糞取り器では、第１及び第２の開閉枠体部を見た目の良い絵柄、あるいは色彩が施された布地で形成されたカバー部で覆着することで散歩時に全く違和感がなくの携行することが可能となる。
【００６３】
また、糞の回収が手に触れることなく、衛生的、かつ容易に行うことができると共に、糞回収袋の開口端が重なった状態で挟持されることで臭いが漏れることなく家に持ち帰ることができる。
【００６４】
また、カバー部が着脱自在とされることで、定期的にカバー部を洗濯する、あるいは幾つかのカバー部を取り替えることで好みに応じたファッションを楽しむことが可能となる。
【符号の説明】
【００６５】
１            糞取り器
２            枠組本体
３            カバー部
４            第１の開閉枠体部
４Ａ          第２の開閉枠体部
５            連結部
６            ロール支持部
７            把持板
８            連結片
９            連結ピン
１０          バネ部材
１１、１１Ａ  袋把持板部
１２          袋係止部
１３          カバー部取付け棒
１４、１４Ａ  ギャザー部
１５          ベルト部
１６          取付用紐
１７          取付用バンド部
１８、１８Ａ  面状テープ
１９          挿入筒部
２０          一端側枠部
２１          他端側枠部
２２          両側端枠部
２３          ロール軸部
２４          ポケット部
２５          主カバー
２５Ａ        副カバー
２６、２６Ａ  連結部支持板
【図１】
0005371065.tif 000002
【図２】
0005371065.tif 000003
【図３】
0005371065.tif 000004
【図４】
0005371065.tif 000005
【図５】
0005371065.tif 000006
【図６】
0005371065.tif 000007
【図７】
0005371065.tif 000008
【図８】
0005371065.tif 000009